(57)【特許請求の範囲】
【請求項１】
薄膜延伸装置の加熱炉(1)内で移動される複数の把持装置(4)の少なくとも１つの無端チェーンを駆動する少なくとも１つの起動輪(8)を備え、
起動輪(8)は、加熱炉(1)内に配置され、
起動輪(8)は、専用の起動モータ(9)により回転され、起動モータ(9)は、ケーシング(12)内に配置され、ケーシング(12)は、加熱炉(1)内に設置されかつ冷却手段(13,14)により冷却され、
起動輪(8)の歯が無端チェーンのローラから離脱する引込位置から起動輪(8)の歯が無端チェーンのローラに噛合う駆動位置に移動する専用の移動装置(11)上に起動輪(8)を配置したことを特徴とする薄膜延伸装置。
【請求項２】
移動装置(11)は、無端チェーンの移動方向に対し垂直に移動する請求項１に記載の薄膜延伸装置。
【請求項３】
起動輪(8)の歯間ピッチを検出する独自の検出器(15)を備える請求項１又は２に記載の薄膜延伸装置。
【請求項４】
起動輪(8)が無端チェーンのローラと噛合うローラ係合位置で複数のローラ間ピッチを検出する専用の検出装置(16)を備える請求項１〜３の何れか１項に記載の薄膜延伸装置。
【請求項５】
検出装置(16)と検出器(15)とに接続される中央制御装置(20)を備え、
中央制御装置(20)は、検出した起動輪(8)の歯間ピッチとローラ間ピッチが一致すると、起動輪(8)を駆動位置に移動する指令信号を移動装置(11)に送出する請求項３又は４に記載の薄膜延伸装置。
【請求項６】
起動モータ(9)に複数の給電線(17)が接続され、
冷却手段の冷却空気がケーシング(12)内に流入する入口(13)から複数の給電線(17)がケーシング(12)の外部に導出される請求項１〜５の何れか１項に記載の薄膜延伸装置。
【請求項７】
入口(13)から導出される複数の給電線(17)を結束する共通のスリーブ(18)から一定の距離離間する断熱外装(19)により共通のスリーブ(18)を包囲した請求項６に記載の薄膜延伸装置。
【請求項８】
複数の起動輪が引込位置にあるとき、各起動輪の歯が無端チェーンのローラに噛合うローラ係合位置で各起動輪の歯間ピッチと、ローラ間ピッチとの適合性を検査し、
起動輪の歯間ピッチとローラ間ピッチとが適合するとき、起動輪の複数の回転速度を無端チェーンの移動速度に低速で同期させ、
その後、複数の起動輪を駆動位置に移動して、全回転速度を増加する請求項１〜５の何れか１項に記載の薄膜延伸装置の始動法。
【発明の詳細な説明】
【技術分野】
【０００１】
本発明は、薄膜（フィルム又はシート）、特に樹脂（プラスチック）製薄膜の延伸装置、即ち、縦方向と横方向に同時に薄膜を延伸する薄膜延伸装置に関連する。本発明は、特に、同時角度延伸技術に適する。予熱された帯状の樹脂材料は、９０°とは異なる延伸薄膜の延伸角度、例えば、角度４５°又は１３５°で縦方向と横方向に同時に延伸される。同時角度延伸装置は、加熱炉から導出されかつ再び加熱炉内に導入される２つの無端式（循環式）搬送通路を備え、各無端式搬送通路は、複数の把持装置を移動する第１の内側レールと、複数の連結式ローラホルダを移動する第２の外側レールとを備え、把持装置とローラホルダは、２つの連続する把持装置を備える歯付駆動輪により牽引される。連続する２つの把持装置を支持する筐体を筐体の支軸周りに平行移動させて、複数の把持装置のピッチ、即ち搬送通路に沿う相互距離を調整することができる（下記特許文献１は、加熱炉内の少なくとも１つの起動輪で駆動される無端把持装置の無端チェーンが通過する薄膜延伸装置を示す）。
【背景技術】
【０００２】
前記薄膜延伸装置では、数１０m、例えば、３０mから４０mまで非常に長い鎖牽引距離を確保することができる。特に、例えば、約１００μm程度の比較的厚い薄膜を延伸するとき、加熱炉内に配置される起動輪による無端チェーンを牽引する牽引力は非常に大きい。また、複数のレールに対する径方向の牽引力は、非常に大きい。無端チェーンの牽引力は、複数の把持装置間のピッチ誤差による。複数の把持装置間の不正確なピッチは、所定長さの延伸と、得られる薄膜の光学的品質とに悪影響を与える。
【先行技術文献】
【特許文献】
【０００３】
【特許文献１】仏国特許出願公開第２９２２８１０号公報
【特許文献２】仏国特許第２６８６０４１号公報
【発明の概要】
【発明が解決しようとする課題】
【０００４】
本発明の薄膜延伸装置は、前記不具合を解消し、肉厚の薄膜から優れた光学的品質の薄膜を生産することを目的とする。
【課題を解決するための手段】
【０００５】
前記形式の本発明の薄膜延伸装置では、薄膜を把持して、加熱炉内を通過する少なくとも１つの循環式の無端チェーンは、少なくとも１つの起動輪（スプロケット）により駆動される。加熱炉内に設けられる無端チェーンの少なくとも１つの起動輪は、専用の移動装置に取り付けられる専用の起動モータにより回転され、専用の移動装置は、加熱炉内に設けられる冷却手段で冷却されるケーシング内に配置される。起動輪は、専用の移動装置により無端チェーンから離間する引込位置から無端チェーンに噛み合う駆動位置に移動される。
【０００６】
約２００℃に達する高温の加熱炉内に設けられる起動輪を正常に動作させることは従来不可能と考えられていた。しかしながら、加熱炉内に配置されるケーシングを冷却手段で冷却して、ケーシングで包囲される起動モータにより起動輪を回転すれば、高信頼性の駆動構造を得ることができる。起動モータの作動を制御する複数の電子中央制御装置は、各機能を損なう高温環境からケーシングにより保護されるが、ケーシングの外側に配置される機械起動輪は、高温に耐えることができる。
【０００７】
加熱炉内に設けられる複数の起動輪の各々に少なくとも５つの歯を設けることが好ましい。専用のケーシングで包囲される専用の起動モータが各起動輪に駆動接続される。
【０００８】
加熱炉内で起動輪の隣合う歯に係合するローラを備えるローラホルダ式の無端チェーンと把持装置とを組み合わせて、把持装置に加わる機械的応力を極力低減することが好ましい。ローラホルダの複数のローラは、通常垂直軸を備え、加熱炉外部の把持装置のピッチを調整する位置で、複数の把持装置は、閉鎖される。
【０００９】
無端チェーンの移動方向に対し垂直に起動輪を移動する移動装置を設けることが好ましい。
【００１０】
加熱炉内の複数の起動輪は、通常加熱炉外の単一又は複数の起動輪の無端チェーン牽引を支援する。
【００１１】
本発明の薄膜延伸装置は、加熱炉内に相互に分離して配置される第１の内側レールと、第２の外側レールとに沿って移動する２つの無端チェーンと、第１の内側レールに沿って無端チェーンと共に移動する複数の把持装置と、第２の外側レールに沿って無端チェーンと共に移動する複数のローラホルダとを通常備える。
【００１２】
起動輪の隣合う歯の歯間ピッチを検出する起動輪専用の検出器がケーシングに取付けられ、無端チェーンのローラホルダのローラと起動輪とが噛合うローラ係合位置で複数の把持装置のローラ間ピッチを検出する専用の検出装置が設けられて、歯間ピッチとローラ間ピッチとが整合すると、薄膜延伸装置を容易に始動することができる。ローラ間ピッチ検出装置と歯間ピッチ検出器に接続される中央制御装置は、検出した起動輪の歯間ピッチとローラ間ピッチが一致すると、移動装置に指令信号を送出して、起動輪を駆動位置に移動して、非同期化に伴う複数の機械部品の破損を防止することができる。
【００１３】
起動モータに接続される複数の給電線は、ケーシング内に導入される冷却手段の冷却空気の入口からケーシング外に導出され、ケーシングの入口で共通のスリーブにより複数の給電線が結束され、共通のスリーブ自体も一定の距離離間して配置される断熱外装内に配置されるため、極めて信頼性の高い構造と制御が得られる。
【００１４】
また、複数の起動輪が引込位置にあるときに、中央制御装置は、各起動輪が無端チェーンに噛み合う位置で、各起動輪の歯間ピッチと複数のローラ間ピッチとの適合性を検査し、両ピッチが適合すれば、複数の起動輪の各回転速度と無端チェーンの移動速度とを低速で同期させ、複数の起動輪を駆動位置に移動して、全同期速度を増加する薄膜延伸装置の始動方法も本発明は、対象とする。
【図面の簡単な説明】
【００１５】
本発明の実施の形態を示す添付図面は、本発明の参考例を示し、図示しない形態にも本発明の実施例を変更できよう。
【図１】加熱炉上部の図示を省略した本発明の薄膜延伸装置の略示平面図
【図２】一対の内側起動輪を備える薄膜延伸装置の部分平面図
【図３】図２のIII-III線に沿う断面図
【図４】本発明の薄膜延伸装置に使用する無端チェーンの部分斜視図
【発明を実施するための形態】
【００１６】
本発明の薄膜延伸装置は、内部温度が制御される加熱炉1と、同等の構造を有する一対の搬送装置とを備える。薄膜延伸装置の搬送装置は、平行に配置される第１の内側レール2と、第１の内側レール2から分離する第２の外側レール3とを備え、加熱炉1を通過する２本の第１の内側レール2は、図１に示すように、加熱炉1の入口側で平行に配置されるが、薄膜を延伸するため加熱炉1の中央部分で互いに分離する方向に配置され、その後、加熱炉1の出口側に向かって再び平行に配置され、２本の第１の内側レール2の間に延伸すべき薄膜の搬送通路が形成される。第１の内側レール2と、第２の外側レール3は、環状の循環式無端構造を有する。第１の内側レール2に沿って移動する複数の把持装置4の各々は、各把持装置4を閉鎖する固定傾斜部下方のピッチ調節位置で閉鎖される。特許文献２から明らかなように、延伸すべき薄膜Ｆの対向する両縁は、複数の把持装置4により把持される。複数のローラホルダ（カート）5は、第２の外側レール3に沿って移動される。鎖状連結される隣合うローラホルダ5は、加熱炉1の外部に設けられる４つの起動輪6により駆動され（図１）かつ複数の把持装置4にリンク接続される。隣合う２つの把持装置4は、一対の連接棒7により同一のローラホルダ5に連結され、一対の連接棒7間の角度を変更すると、複数の把持装置4間の間隔（ピッチ）、即ち相対的距離を調節できる。各ローラホルダ5は、垂直ローラにより外側レール3上を転動する。
【００１７】
加熱炉1の外側で各無端チェーンを駆動する４つの起動輪（スプロケット）6の他に、加熱炉の内側で各無端チェーンを駆動する６つの起動輪（スプロケット）8が設けられる。
【００１８】
図２に示す単一の起動輪8は、専用の起動モータ9により回転駆動される。起動輪8と起動モータ9は、レール11と、レール11上を滑動する滑子（シュー）10とを含む移動装置により無端チェーンの移動方向に対し垂直方向に移動可能に支持される。移動装置11により、起動輪8は、起動輪8の歯が無端チェーンのローラホルダ5のローラに係合しない引込位置（滑子10を破線で示す位置）から、起動輪8の歯がローラに噛み合う図示の駆動位置に移動される。起動モータ9は、ケーシング12の内側に配置される。ケーシング12は、加熱炉1の内側に配置される。ケーシング12は、入口13からケーシング12内に流入して、出口14から排出される冷却空気により冷却される。
【００１９】
各起動輪8は、複数の起動輪の歯間ピッチを検出する専用の検出器15と組み合わされる。把持装置4又はローラホルダ5は、ローラ間ピッチを検出する検出装置16と組み合わされ、起動輪8が無端チェーンと噛合う位置又はその位置付近、好ましくは無端チェーンの移動方向の直上流側で、検出装置16は、複数の把持装置4間のローラ間ピッチを検出する。
【００２０】
起動モータ9の２本の給電線17は、ケーシング12の出口13から導出され、スリーブ18により結束され、スリーブ18自体、一定の距離で断熱外装19により包囲又は被覆され、スリーブ18と外装19の間の隙間からケーシング12の内側に冷却空気が流入する。
【００２１】
加熱炉1の外側に設けられる中央制御装置20は、各起動輪8の複数の検出器15及び各起動輪8と組み合わされる複数の検出装置16から検出情報（信号）を受け取り、起動輪8の複数の移動装置11を制御し、起動輪8の歯が係合する無端チェーンの位置で起動輪8の歯ピッチと複数の把持装置のピッチとの適合性を検査する。中央制御装置20は、検出した起動輪8の歯間ピッチとローラ間ピッチが一致すると、起動輪8を駆動位置に移動する指令信号を移動装置11に送出する。起動輪8と無端チェーンの速度を同期化させた後に、起動輪8の歯を無端チェーンのローラに噛み合わせる。
【００２２】
起動輪8の歯間ピッチとローラ間ピッチとが適合すれば、中央制御装置20は、起動輪8の複数の回転速度を無端チェーンの移動速度に低速で同期させて、複数の起動輪8は、複数の起動輪が無端チェーンと噛み合う駆動位置に移動され、その後、同期して全動作速度が増加される。
【００２３】
起動輪8の歯間ピッチとローラ間ピッチとが適合しないとき、起動輪8を交換し、上記の手順が反復される。
【符号の説明】
【００２４】
(1)・・加熱炉、  (4)・・把持装置、  (8)・・起動輪、  (9)・・起動モータ、  (11)・・移動装置、  (12)・・ケーシング、  (13,14)・・冷却手段、  (13)・・入口、  (14)・・出口、  (15)・・検出器、  (16)・・検出装置、  (17)・・給電線、  (18)・・スリーブ、  (19)・・断熱外装、  (20)・・中央制御装置、
【図１】
0006466601.tif 000002
【図２】
0006466601.tif 000003
【図３】
0006466601.tif 000004
【図４】
0006466601.tif 000005